(57)【要約】【課題】ユーザが活動量の測定データを日常生活の中で自然に確認できる健康管理システムを提供することを目的とする。【解決手段】ユーザが所持して当該ユーザの活動量を測定する活動量計９と、活動量計９によって測定された測定データを読み取るリーダ１４と、リーダ１４に接続され、測定データを用いて演算処理を行う演算部１３と、演算部１３の演算結果を表示するモニター部１２と、を備える健康管理システムが、リーダ１４と演算部１３とモニター部１２のうち、少なくともモニター部１２が、表面に姿見鏡１１が設けられた同一の筐体１０ａに対して設けられており、モニター部１２は姿見鏡１１の背面に設けられ、姿見鏡１１はハーフミラーとしての機能を有しており、筐体１０ａは、建物内の洗面所１に設置されている。【選択図】図３
2015225627.tif 000002
【特許請求の範囲】
【請求項１】
ユーザが所持して当該ユーザの活動量を測定する活動量計と、
前記活動量計によって測定された測定データを読み取るリーダと、
前記リーダに接続され、前記測定データを用いて演算処理を行う演算部と、
前記演算部の演算結果を表示するモニター部と、を備える健康管理システムにおいて、
前記リーダと前記演算部と前記モニター部のうち、少なくとも前記モニター部が、表面に姿見鏡が設けられた同一の筐体に対して設けられており、
前記モニター部は前記姿見鏡の背面に設けられ、前記姿見鏡はハーフミラーとしての機能を有しており、
前記筐体は、建物内の洗面所に設置されていることを特徴とする健康管理システム。
【請求項２】
請求項１に記載の健康管理システムにおいて、
前記筐体は前記洗面所に対し、前記姿見鏡が前記洗面所内の脱衣スペースに面した状態に配置されていることを特徴とする健康管理システム。
【請求項３】
請求項１または２に記載の健康管理システムにおいて、
前記筐体は前記洗面所に対し、前記姿見鏡が前記洗面所内の浴槽に向けられるようにして配置されていることを特徴とする健康管理システム。
【請求項４】
請求項１〜３のいずれか一項に記載の健康管理システムにおいて、
前記活動量計はＧＰＳ機能を有しており、当該活動量計によって測定された前記測定データにはユーザの行動記録が紐付けされていることを特徴とする健康管理システム。
【請求項５】
請求項１〜４のいずれか一項に記載の健康管理システムにおいて、
前記姿見鏡の表面のうちユーザが触れた位置を検知するタッチセンサーを備えることによって、前記姿見鏡の表面はタッチパネルとして構成されていることを特徴とする健康管理システム。
【請求項６】
請求項１〜５のいずれか一項に記載の健康管理システムにおいて、
ユーザの動作を検知する位置センサーを備えており、当該位置センサーによって検知されたユーザの動作に基づいて、前記モニター部に表示される画面を操作可能に構成されていることを特徴とする健康管理システム。
【請求項７】
請求項１〜６のいずれか一項に記載の健康管理システムにおいて、
前記モニター部の正面に立つユーザを撮影するためのカメラを備えており、
前記演算部は、前記カメラによって撮影された画像を記憶する記憶手段を有することを特徴とする健康管理システム。
【発明の詳細な説明】
【技術分野】
【０００１】
本発明は、健康管理システムに関する。
【背景技術】
【０００２】
従来、人に生活改善を促すための健康管理システムが提案されている（例えば、特許文献１）。この種の健康管理システムでは、生活改善を促すための指標として、人の活動量を利用することが比較的良く行われている。
特許文献１の健康管理システムでは、被測定体のデータを入力する入力部と、加速度センサーと、活動データ処理部と、カレンダ部と、表示部と、記憶部と、データ受信部と、データ送信部とから構成された活動量計（活動状態測定装置）が開示されている。活動量計は、加速度センサーから出力される信号（アナログ信号）を、加速度データ（デジタル信号）に変換し、変換した加速度データから活動データ（活動強度）を作成し、この活動データを元にして、運動エネルギー（運動消費量）の算出などを行うようになっている。
【先行技術文献】
【特許文献】
【０００３】
【特許文献１】特許第３０２７３４６号公報
【発明の概要】
【発明が解決しようとする課題】
【０００４】
健康状態を把握する作業を毎日行うことは手間であり、継続しにくいという問題があった。しかしながら、洗面所は、洗面や歯磨き等を行うに際し、常に顔色や皮膚の状況、眼の状態、口腔内の状況等がつぶさに観察可能であり、居住空間において健康に最も関心を寄せ得る空間条件を満たしている。
そこで、洗面所を利用して、活動量の測定データをより自然に確認できるような技術の開発が望まれていた。
【０００５】
本発明の課題は、ユーザが活動量の測定データを日常生活の中で自然に確認できる健康管理システムを提供することを目的とする。
【課題を解決するための手段】
【０００６】
請求項１に記載の発明は、例えば図１〜図８に示すように、ユーザ（例えば成人男性Ｍ）が所持して当該ユーザの活動量を測定する活動量計９と、
前記活動量計９によって測定された測定データを読み取るリーダ１４と、
前記リーダ１４に接続され、前記測定データを用いて演算処理を行う演算部１３と、
前記演算部１３の演算結果を表示するモニター部１２と、を備える健康管理システムにおいて、
前記リーダ１４と前記演算部１３と前記モニター部１２のうち、少なくとも前記モニター部１２が、表面に姿見鏡１１が設けられた同一の筐体１０ａに対して設けられており、
前記モニター部１２は前記姿見鏡１１の背面に設けられ、前記姿見鏡１１はハーフミラーとしての機能を有しており、
前記筐体１０ａは、建物内の洗面所１に設置されていることを特徴とする。
【０００７】
請求項１に記載の発明によれば、少なくともモニター部１２が、表面に姿見鏡１１が設けられた同一の筐体１０ａに対して設けられ、当該筐体１０ａが洗面所１に設置されているので、ユーザは、日常的に利用する洗面所１の鏡（姿見鏡１１）で、自身の活動量を確認できる。すなわち、ユーザが活動量の測定データを日常生活の中で自然に確認することができる。
また、活動量計９の測定データをリーダ１４で読み取らせるだけで、演算部１３による演算結果をモニター部１２に表示できるので、ユーザは、自身の活動量を確認するのに煩雑な手間が必要なくなり、活動量の確認作業が行いやすくなる。
【０００８】
請求項２に記載の発明は、例えば図１に示すように、請求項１に記載の健康管理システムにおいて、
前記筐体１０ａは前記洗面所１に対し、前記姿見鏡１１が前記洗面所１内の脱衣スペース５に面した状態に配置されていることを特徴とする。
【０００９】
請求項２に記載の発明によれば、筐体１０ａは洗面所１に対し、姿見鏡１１が洗面所１内の脱衣スペース５に面した状態に配置されているので、ユーザが姿見鏡１１の正面に立つスペースを確保することができる。これによって、ユーザは姿見鏡１１の正面に立つ状況・シチュエーションを容易に作ることができるので、自身の活動量をより自然に確認することができる。
【００１０】
請求項３に記載の発明は、例えば図１に示すように、請求項１または２に記載の健康管理システムにおいて、
前記筐体１０ａは前記洗面所１に対し、前記姿見鏡１１が前記洗面所１内の浴槽４に向けられるようにして配置されていることを特徴とする。
【００１１】
請求項３に記載の発明によれば、筐体１０ａは洗面所１に対し、姿見鏡１１が洗面所１内の浴槽４に向けられるようにして配置されているので、ユーザは、浴槽４に張った湯に浸かりながらでもモニター部１２を見ることができる。これによって、ユーザがモニター部１２を見る機会を増やすことができるので、自身の活動量をより自然に確認することができる。
【００１２】
請求項４に記載の発明は、例えば図８に示すように、請求項１〜３のいずれか一項に記載の健康管理システムにおいて、
前記活動量計９はＧＰＳ機能を有しており、当該活動量計９によって測定された前記測定データにはユーザの行動記録が紐付けされていることを特徴とする。
【００１３】
請求項４に記載の発明によれば、活動量計９はＧＰＳ機能を有しており、当該活動量計９によって測定された測定データにはユーザの行動記録が紐付けされているので、活動量計９の測定データをリーダ１４で読み取らせた際にユーザの行動記録も読み取ることができる。これによって、ユーザの行動記録が関連付けられた活動量を取得できるので、活動量計９の測定データの根拠とすることができる。換言すれば、ユーザは、どれだけ活動すれば、どれだけの活動量となるか容易に把握できるので、自身の活動量を管理しやすくなる。
【００１４】
請求項５に記載の発明は、例えば図４〜図６に示すように、請求項１〜４のいずれか一項に記載の健康管理システムにおいて、
前記姿見鏡１１の表面のうちユーザが触れた位置を検知するタッチセンサー１６を備えることによって、前記姿見鏡１１の表面はタッチパネルとして構成されていることを特徴とする。
【００１５】
請求項５に記載の発明によれば、姿見鏡１１の表面のうちユーザが触れた位置を検知するタッチセンサーを備えることによって、姿見鏡１１の表面はタッチパネルとして構成されているので、モニター部１２に表示される画面の操作を直感的に行うことができ、ユーザにとって活動量の確認作業がより行いやすくなる。
【００１６】
請求項６に記載の発明は、例えば図３に示すように、請求項１〜５のいずれか一項に記載の健康管理システムにおいて、
ユーザの動作を検知する位置センサー１７を備えており、当該位置センサー１７によって検知されたユーザの動作に基づいて、前記モニター部１２に表示される画面を操作可能に構成されていることを特徴とする。
【００１７】
請求項６に記載の発明によれば、ユーザの動作を検知する位置センサー１７を備えており、当該位置センサー１７によって検知されたユーザの動作に基づいて、モニター部１２に表示される画面を操作可能に構成されているので、ユーザは、モニター部１２から離れた位置から、モニター部１２に表示される画面の操作を行うことができ、ユーザにとって活動量の確認作業がより行いやすくなる。
【００１８】
請求項７に記載の発明は、例えば図３，図７に示すように、請求項１〜６のいずれか一項に記載の健康管理システムにおいて、
前記モニター部１２の正面に立つユーザを撮影するためのカメラ１５を備えており、
前記演算部１３は、前記カメラ１５によって撮影された画像を記憶する記憶手段を有することを特徴とする。
【００１９】
請求項７に記載の発明によれば、演算部１３は、カメラ１５によって撮影された画像を記憶する記憶手段を有するので、ユーザは、記憶手段から読み込んだ自身の撮影画像を確認することができる。すなわち、自身の体格を確認することができるので、活動量計９を所持して活動したことによる成果を客観的に実感することができる。
【発明の効果】
【００２０】
本発明によれば、洗面所を利用し、ユーザが活動量の測定データを日常生活の中で自然に確認することができる。
【図面の簡単な説明】
【００２１】
【図１】洗面所を示す平面図である。
【図２】姿見型モニターの外観を示す正面図である。
【図３】姿見型モニターの構成を示すブロック図である。
【図４】健康管理システムの機能を説明する図である。
【図５】健康管理システムの機能を説明する図である。
【図６】モニター部に表示される画面の一例を示す図である。
【図７】モニター部に表示される画面の一例を示す図である。
【図８】モニター部に表示される画面の一例を示す図である。
【発明を実施するための形態】
【００２２】
以下、図面を参照して本発明の実施の形態について説明する。
図１において符号１は、住宅等の建物内に配置された洗面所を示す。この洗面所１はサニタリールームとして機能する部屋であり、トイレ２（便器）と、洗面台３と、浴槽４と、脱衣スペース５と、姿見型モニター１０と、が設置されている。
また、洗面所１はバルコニー６と隣接して配置されており、一方の壁にはバルコニー６に面する窓７が設けられ、一方の壁に対向する他方の壁には出入口８が設けられている。
出入口８に面して脱衣スペース５が配置されている。脱衣スペース５の東側にトイレ２が配置され、南側に洗面台３が配置され、西側に浴槽４が配置されている。
【００２３】
そして、トイレ２と脱衣スペース５との間には、これらを仕切るようにして、洗面所１と共に、本発明の健康管理システムの主体となる姿見型モニター１０が立設されている。
また、浴槽４と脱衣スペース５との間に仕切りはなく、浴槽４から姿見型モニター１０が見えるようになっている。すなわち、浴槽４のあるスペースと姿見型モニター１０とは、脱衣スペース５を介して対向する位置関係となっている。
さらに、姿見型モニター１０は、出入口８の近傍に配置されており、洗面所１に入ったら必ず前を通過するようになっている。
【００２４】
また、建物に居住する住人（ユーザ）は活動量計９を所持している。なお、本実施の形態において住人は複数とされており、複数の住人それぞれが活動量計９を所持している。
活動量計９は、加速度センサーが内蔵されており、歩行や走行、日常的な作業での活動量（METs：Metabolic equivalents）および消費カロリーを測定できるものである。
また、当該活動量計９は、例えばＲＦＩＤ機能を有するものであり、ＲＦＩＤ用ＩＣチップ（図示せず）を備える。すなわち、活動量計９によって住人の活動量を測定し、活動量計９をリーダ（後述するリーダ１４）に翳すことで、その測定データを始めとする各種データを伝送することができる。
なお、活動量計９は、インターネット等を利用した無線通信も可能であることが望ましい。すなわち、活動量計９をリーダに翳すような短距離のデータ授受だけでなく、長距離でのデータ授受も可能であれば、外出時でも、測定データを始めとする各種データを伝送することができる。
【００２５】
以上の点を鑑みて、本実施の形態の活動量計９としては、加速度センサーおよびカメラが内蔵されたスマートフォンやタブレットＰＣ等を始めとする携帯端末が採用されている。このような携帯端末であれば持ち運びが容易であり、ユーザが日常的に身につけている場合が多い。
また、本実施の形態の活動量計９は、ＧＰＳ（Global Positioning System）機能を有する。
【００２６】
また、活動量計９以外に、洗面所１内には住人の生体データを測定する機器が導入・設置されている。このような測定機器として、図示はしないが、本実施の形態では体組成計や、血圧計、血糖値測定器が採用されている。また、これらの機器は無線または有線により、または所定の通信機器を用いて演算部１３と接続されており、データ通信が可能となっている。
体組成計によれば、例えば体脂肪や除脂肪、体重等の測定を行うことができる。
血圧計によれば、血圧や心拍数等の測定を行うことができる。
血糖値測定器は、血液を採取して血糖値を測定する機器と、尿を採取して血糖値を測定する機器とが採用されており、これら種類の各血糖値測定器によれば、空腹時血糖値や尿糖等の測定を行うことができる。
【００２７】
姿見型モニター１０は、図１，図２に示すように薄型箱状に形成されており、平均的な身長（例えば２０１１年、３０−３９歳の平均身長は１７１．５ｃｍ：インターネットサイト「政府統計の総合窓口e-Start」より）に近い身長である成人男性Ｍよりも高さが高く設定されている（例えば２００ｃｍ程度）。
なお、当該姿見型モニター１０は、洗面所１の床面に固定され、上述の寸法に設定された筐体１０ａを主体として構成されている。
そして、当該姿見型モニター１０は、姿見鏡１１と、モニター部１２と、演算部１３と、リーダ１４と、カメラ１５と、タッチセンサー１６と、位置センサー１７と、を備える。
【００２８】
姿見鏡１１は、脱衣スペース５に面した状態に配置され、かつ全身を映し出す鏡すなわち姿見であって、姿見型モニター１０の表面（脱衣スペース５側）に設けられ、ハーフミラーとしての機能を有する。ただし、これに限られるものではなく、ハーフミラーとしての機能を有するもの、すなわちハーフミラーの光学特性を有するものであればよい。
また、当該姿見鏡１１は、浴槽４に向けられるようにして配置されている。換言すれば、浴槽４と脱衣スペース５と姿見型モニター１０とが横並びで、かつ姿見鏡１１が脱衣スペース５と浴槽４の双方を向くような位置関係となっている。
なお、本実施の形態の姿見鏡１１は、筐体１０ａの脱衣スペース５側面の全面に亘って設けられているものとする。ただし、これに限られるものではなく、モニター部１２と略等しい範囲で設けられるものとしてもよいし、筐体１０ａの高さ方向または横方向に長く設けられるものとしてもよいし、その他の範囲で設けられるものとしてもよい。
【００２９】
モニター部１２は、姿見鏡１１の背面側に設けられて各種データを表示するものである。より詳細に説明すると、筐体１０ａの中央の大部分には開口部が形成されており、当該モニター部１２は、この開口部に対して嵌め込まれて固定されている。
当該モニター部１２は、姿見鏡１１の背面側に設けられているため、脱衣スペース５側延いては浴槽４側を向いた状態となっている。また、測定データ等の各種データを表示する時には発光して姿見鏡１１の前面に映し出し、表示しない時には消灯するように設定されている。
【００３０】
なお、姿見鏡１１の背面側にモニター部１２が設けられ、住人はモニター部１２に直接触ることができないが、例えば赤外線光学イメージング方式のタッチセンサー機能を採用することで、モニター部１２に表示される画面の操作が行えるようになっている。つまり、姿見型モニター１０が、姿見鏡１１の表面のうちユーザが触れた位置を検知するタッチセンサー１６を備えることによって、姿見鏡１１の表面はタッチパネルとして構成されている。
すなわち、赤外線光学イメージング方式のタッチセンサー１６の構造としては、姿見鏡１１の上辺の左右端に赤外線ＬＥＤを１つずつと、イメージセンサー（カメラ）を配置し、残る左辺、右辺、下辺には入射した光を入射方向に反射させる再帰反射テープを張り付ける。そして、指などで画面に触れると、赤外光が遮光された影をイメージセンサーがとらえ、三角測量によって座標が求められる仕組みとなっている。
【００３１】
演算部１３は、図３に示すように、姿見型モニター１０の筐体１０ａに内蔵され、かつ各種のデータを用いて演算処理を行うものである。当該演算部１３には、モニター部１２と、リーダ１４と、カメラ１５と、タッチセンサー１６と、位置センサー１７とが接続されている。
また、図示はしないが、当該演算部１３は、ＣＰＵ（Central Processing Unit）やＲＡＭ（Random Access Memory）・ＲＯＭ（Read Only Memory）、各種プログラムや各種データ等を記憶する記憶手段、通信手段等を備えている。本実施の形態においては無線ルーターを介してインターネット接続されており、各活動量計９やその他の測定機器と通信可能に接続されている。
記憶手段には、各活動量計９やその他の測定機器から伝送されたデータをモニター部１２に表示するための演算プログラムおよびデータが格納されている。これにより適宜、各種データを演算処理し、当該各種データをモニター部１２に表示することができる。
また、演算部１３は、通信手段によりインターネット等を介して気象情報を取得することができる。
【００３２】
リーダ１４は、演算部１３に接続され、活動量計９の測定データ等の各種データを読み取りするものであり、本実施の形態においては姿見型モニター１０に内蔵され、読み取り面の位置が、姿見型モニター１０の表面や側面に印されている。すなわち、姿見型モニター１０の表面や側面にリーダ１４のマークがあり、活動量計９を当該マークに近づけることで各種データの伝送が行われる。
なお、このリーダ１４は、データ読み取り機能だけでなく、データ書き込み機能も有する所謂リーダライタであってもよい。
【００３３】
カメラ１５は、姿見型モニター１０の表面側にレンズが露出して配置されており、姿見型モニター１０の前に立つ人の姿を撮影することができる（静止画および動画）。また、カメラ１５によって撮影された画像データは、演算部１３の記憶手段に記憶される。
なお、カメラ１５は、姿見型モニター１０に対して少なくとも一つ設けられているが、三つのカメラ１５を設ければ、これら三つのカメラ１５で被写体を映し出し、モニター部１２を三面鏡としても利用することができる。
【００３４】
位置センサー１７は、住人の動作を検知するものであり、姿見型モニター１０に対して、検知範囲が脱衣スペース５側となるように設けられている。このような位置センサー１７によれば、位置センサー１７によって検知された住人の動作に基づいて、モニター部１２に表示される画面を操作可能となっている。換言すれば、住人は、姿見型モニター１０に接触せずに、ジェスチャー（身振り・手振り）等によって表示画面の操作を行うことができる。したがって、浴槽４のお湯に浸かりながらでも操作を行うことができる。
【００３５】
以上のような構成を鑑みて、本実施の形態の健康管理システムは、ユーザである住人が所持して当該住人の活動量を測定する活動量計９と、活動量計９によって測定された測定データを読み取るリーダ１４と、リーダ１４に接続され、測定データを用いて演算処理を行う演算部１３と、演算部１３の演算結果を表示するモニター部１２と、を備えるものである（本実施の形態ではカメラ１５、タッチセンサー１６、位置センサー１７も備える）。
そして、リーダ１４と演算部１３とモニター部１２のうち、少なくとも演算部１３とモニター部１２とが、表面に姿見鏡１１が設けられた同一の筐体１０ａに対して設けられており、モニター部１２は姿見鏡１１の背面に設けられ、姿見鏡１１はハーフミラーとしての機能を有する。
さらに、少なくとも演算部１３とモニター部１２とが設けられた筐体１０ａは、建物内の洗面所１に設置されている。より詳細に説明すると、筐体１０ａは、少なくとも演算部１３とモニター部１２が（本実施の形態ではリーダ１４、カメラ１５、タッチセンサー１６、位置センサー１７も）入れられる箱であり、その脱衣スペース５側に姿見鏡１１が設けられた状態となっており、本実施の形態においては、この状態のものを姿見型モニター１０として呼称している。
【００３６】
次に、図面を参照して姿見型モニター１０の機能および使用方法について説明する。
姿見型モニター１０は、全身を映し出す姿見鏡としての機能の他に、図４において「スマートメーター」、「柱の傷」、「家族の日記」、「からだログ」と呼称される各種機能・コンテンツを有する（図４〜図８参照）。
【００３７】
姿見型モニター１０は通常は鏡として使われるため、モニター部１２は消灯した状態となっている。モニター部１２を発光させるには、図４に示すように、まずモニター部１２の電源をＯＮにする。
【００３８】
そして、上述の各種機能・コンテンツを利用する場合は、姿見型モニター１０の表面をタッチしてメニュー画面を表示させるか、リモコン１８による操作でメニュー画面を表示させる。リモコン１８としては、専用のリモコンを用意してもよいし、例えば専用のアプリケーションを用意してスマートフォンやタブレットＰＣで操作できるようにしてもよい。
【００３９】
メニュー画面は、図２に示すように、モニター部１２の下部右側に表示される。モニター部１２の下部にメニュー画面が表示されることで、人の手の位置が近くなるという利点がある。
メニュー画面には、「A.Smart Mater」と示されたボタンＡと、「B.Upgrowth Log」と示されたボタンＢと、「C.Daily Log」と示されたボタンＣと、「D.Karada Log」と示されたボタンＤと、「E.Home」と示されたボタンＥとが表示されている。
メニュー画面の操作は、姿見型モニター１０のタッチ操作だけでなく、リモコン１８によって行えるものとしてもよい。
【００４０】
なお、メニュー画面が表示された状態で、メニュー以外の箇所をタッチすると、モニター部１２が消灯して、姿見型モニター１０の表面全体を再び鏡として用いることができる。
リモコン１８としてスマートフォン等を利用すれば、このようにメニュー画面を表示しない状態であっても、メニューの各種機能・コンテンツを当該リモコン１８の表示部に表示することができる。
【００４１】
図２，図４に示すように、メニュー画面が表示された状態で、ボタンＡを押すと、「スマートメーター」と称するコンテンツがモニター部１２の上部に表示される。
また、図２，図６，図７に示すように、本実施の形態においては右上に表示されるが、これに限るものではなく、モニター部１２の左上でもよいし、その他の箇所でもよい。また、当該コンテンツでは、「日付・時間」と、「気象情報」と、「電力の売買状況」とが表示される。
【００４２】
また、図２，図４に示すように、ボタンＢを押すと、「柱の傷」と称する機能が作動する。従来、子供を柱の前に立たせて、その時の身長に合わせて柱の表面に線を刻む行為が行われてきたが、当該「柱の傷」とは、これに倣った機能である。すなわち、「柱の傷」機能は、カメラ１５を起動させ、姿見型モニター１０の前方に立つユーザ（例えば子供：被写体）を撮影し、その時の身長および姿を、演算部１３の記憶手段に記憶させておく、というものである。これにより、子供の成長記録を記憶手段に保存しておくことができる。
また、モニター部１２に過去の身長データを表示する場合は、従来のような柱に刻んだ線と同様に、カメラ１５で撮影した静止画とともに、頭頂部の位置に合わせて、身長を表す線Ｓ１，Ｓ２，Ｓ３が表示される（図７）。また、身長に係る情報および線Ｓ１，Ｓ２，Ｓ３には、日付情報（日付データ）や気象情報（気象データ）も紐づけされる。
さらに、身長を正確に測るために、洗面所１の床面には立ち位置を特定するためのラインＬが引かれている。身長を測定する際は、ラインＬにつま先を揃えて立ったうえで撮影を行うようにする。なお、ラインＬは、洗面所１の床面をタイル張りとし、そのタイルの目地を利用してなるものであってもよい。姿見型モニター１０の位置と被写体であるユーザの立ち位置とが一定のものとなるので、ユーザを、例えば定点撮影のように撮影することができる。
撮影は、リモコン１８で行ってもよいし、カメラ１５に備わるタイマー機能を利用して行ってもよい。
なお、このような「柱の傷」と称する機能は、子供の成長記録だけでなく、例えば撮影時の服装を記録する用途で使用してもよいし、その他の用途で使用してもよい。
【００４３】
また、図２，図４に示すように、ボタンＣを押すと、「家族の日記」と称する機能が作動する。また、ボタンＣを押した後は、さらに「三面鏡」という機能と、「家族の日記」という機能と、を選択可能となっている。
【００４４】
「三面鏡」という機能は、上述のように、三つのカメラ１５を用いた機能であり、姿見型モニター１０の前方に立つ人を正面から一つのカメラ１５で捉えるとともに、左右の斜めから二つのカメラ１５，１５で捉え、三つの画像をモニター部１２に表示させるものである。画像としては動画が好ましいが、静止画でもよい。
【００４５】
「家族の日記」という機能は、図８に示すように、家族全員の行動記録（行動ルート）を地図上に配置して見る機能である。すなわち、上述のように本実施の形態の活動量計９はＧＰＳ機能を有しており、ＧＰＳ記録装置（いわゆるＧＰＳロガー）として利用することができる。当該ＧＰＳ記録装置である活動量計９に記録されたユーザ（家族全員）の行動記録は、姿見型モニター１０の記憶手段に記憶される。
また、活動量計９によって測定された測定データには、このようなユーザの行動記録が紐付けされている。そのため、当該ＧＰＳ機能を利用して家族全員の行動記録（行動ルート）を確認できる。
このように行動記録が確認できれば、活動量等の測定値の根拠とすることができる。換言すれば、どれだけ活動すれば、どれだけの測定値が出るかということが確認できる。
また、上述のように、本実施の形態の活動量計９としては、カメラが内蔵された携帯端末が採用され、かつ活動量計９と姿見型モニター１０とが無線通信可能に接続されているため、各所で撮影した画像を送り、地図上に配置することができる。
このような機能によれば、家族の行動記録を見ることができるので、家族間のコミュニケーションの機会を増やすことができ、好ましい。
【００４６】
さらに、以上のようなＧＰＳ機能を利用したユーザの行動記録には、日付データと気象データのうち少なくとも一方と紐づけされている。本実施の形態においては、日付データと気象データの双方と紐づけされているが、いずれか一方と紐づけされるものとしてもよい。
そして、行動記録と、日付データと気象データの双方が紐づけされているので、例えば過去のユーザの行動記録と気象条件、さらには保存された過去のユーザの画像や活動量計９による測定データを勘案して、服装選びなどを行うことができる。
具体的な例としては、ユーザの行動記録を確認すれば、当該ユーザが過去にどのような行動をとったかを確認することができ、行動ルート次第では、どの人物と会ったかも、おおよそ判明することになる。そこで、このように過去の行動記録を確認し、過去に会った同一人物との外出に合わせて服装選びをする際に、本日選んだ服装と、過去に選んだ服装とが重複しないように注意することができる。
さらに、過去の行動記録を確認し、運動などで活動量が多かった日の服装を確認することができる。そこで、ユーザは、同じように活動量が多くなると想定される日の服装選びの際に、過去の活動量の多かった日を参考にして服装を判断することができる。
【００４７】
また、図２，図４に示すように、ボタンＤを押すと、「からだログ」と称するコンテンツがモニター部１２の左側および中央に表示される。ただし、その表示位置は、これに限られるものではなく、他のコンテンツ等とのバランスを考慮したうえで適宜変更可能である。
当該「からだログ」と称するコンテンツでは、住人の活動量を始めとする各種の生体データを表示することができる。生体データとは、活動量計９や上述したその他の測定機器（体組成計、血圧計、血糖値測定器）によって測定された住人固有の生体情報・生活情報である。
【００４８】
ボタンＤを押した後、まず図４に示すように、家族を認識するための表示画面がモニター部１２に表示される。すなわち、家族の顔写真が並んで配置される。モニター部１２における顔写真は、図２に示す顔写真配置欄２０に表示される。
これら顔写真はボタンとして機能し、いずれかの家族の顔写真を押して選択すると、その顔写真の住人のプロフィールが、図２に示すプロフィール表示欄２１に表示される。また同時に、その顔写真の住人の、生体データの指標がグラフ化および数値化されて、図２に示す指標表示欄２２に表示される。
【００４９】
指標表示欄２２には、まず図６に示すような活動量のグラフや数値が表示される。より詳細に説明すると、活動量として表示される項目は「歩数」、「アクティブ歩数」、「総消費カロリー」、「活動消費カロリー」、「体脂肪燃焼量」があり、それぞれはグラフ化および数値化されている。また、目標値や、前日比等も見ることができる。
【００５０】
また、指標表示欄２２には、グラフおよび数値の「日」、「週」、「月」、「年」を切り替えるための切り替えボタン２４ａ〜２４ｄが表示されている。図５に示すように、「日」ボタン２４ａを押せば日毎のデータが表示され、「週」ボタン２４ｂを押せば週毎のデータが表示され、「月」ボタン２４ｃを押せば月毎のデータが表示され、「年」ボタン２４ｄを押せば年毎のデータが表示される。
さらに、前日・翌日（前週・翌週、前月・翌月、前年・翌年）の切り替えを行うための戻しボタン２５ａおよび送りボタン２５ｂも、指標表示欄２２に表示される。なお、戻しボタン２５ａと送りボタン２５ｂとの間には、表示されているグラフおよび数値が該当する日（または週、月、年）が表示される。
【００５１】
その他の生体データを確認したい場合は、図６に示すような指標メニュー表示ボタン２６を押し、図５に示すような指標メニューをモニター部１２に表示させる。モニター部１２における指標メニューは、図２に示す指標メニュー表示欄２３に表示される。なお、当該指標メニューは、指標メニュー表示ボタン２６を押すことで上方に展開するようにして表示される。
具体的に説明すると、指標メニューとしては図５に示すように、「活動量」と、「体組成」と、「血圧」と、「血糖値」とがあり、それぞれが複数の項目を持ち、項目毎にグラフ化および数値化が行われている。なお、指標メニューはそれぞれがボタン２７ａ〜２７ｄとして機能し、メニューのボタンを押して選択することで、対応するグラフおよび数値を確認することができる。
また、これら四つのボタン２７ａ〜２７ｄは、指標表示欄２２に表示されているメニューのボタンが最も下方に位置するようにして表示される。すなわち、例えば「活動量」のデータを見ている最中は、四つのボタン２７ａ〜２７ｄのうち「活動量」ボタン２７ａが最も下方に位置する。「体組成」のデータを見ている最中は「体組成」ボタン２７ｂが最も下方に、「血圧」のデータを見ている最中は「血圧」ボタン２７ｃが最も下方に、「血糖値」のデータを見ている最中は「血糖値」ボタン２７ｄが最も下方に位置する。
【００５２】
以上のようにして活動量を始めとする生体データを確認することができる。各住人は、この生体データを指標として、生活改善を行うことができる。例えば活動量が指標よりも少なく、活動量を増やしたい場合には、脱衣スペース５を利用して補足的に活動量を増やすことができる。
【００５３】
図２に示すボタンＥを押すと、ホーム画面に戻ることができる。ここで、ホーム画面とは、モニター部１２にメニュー画面のみが表示された画面を指している。ホーム画面に戻ったら、他のメニューを選択してもよいし、メニュー画面以外をタッチして、姿見型モニター１０の表面全体を鏡として使ってもよい。
なお、メニュー画面は、各種機能・コンテンツがモニター部１２に表示されている間も、モニター部１２に同時に表示されている。
【００５４】
本実施の形態によれば、少なくともモニター部１２が、表面に姿見鏡１１が設けられた同一の筐体１０ａに対して設けられ、当該筐体１０ａが洗面所１に設置されているので、ユーザである住人は、日常的に利用する洗面所１の鏡（姿見鏡１１）で、自身の活動量を確認できる。すなわち、住人が活動量の測定データを日常生活の中で自然に確認することができる。
また、活動量計９の測定データをリーダ１４で読み取らせるだけで、演算部１３による演算結果をモニター部１２に表示できるので、住人は、自身の活動量を確認するのに煩雑な手間が必要なくなり、活動量の確認作業が行いやすくなる。
【００５５】
また、筐体１０ａは洗面所１に対し、姿見鏡１１が洗面所１内の脱衣スペース５に面した状態に配置されているので、住人が姿見鏡１１の正面に立つスペースを確保することができる。これによって、住人は姿見鏡１１の正面に立つ状況・シチュエーションを容易に作ることができるので、自身の活動量をより自然に確認することができる。
【００５６】
また、筐体１０ａは洗面所１に対し、姿見鏡１１が洗面所１内の浴槽４に向けられるようにして配置されているので、住人は、浴槽４に張った湯に浸かりながらでもモニター部１２を見ることができる。これによって、住人がモニター部１２を見る機会を増やすことができるので、自身の活動量をより自然に確認することができる。
【００５７】
また、活動量計９はＧＰＳ機能を有しており、当該活動量計９によって測定された測定データには住人の行動記録が紐付けされているので、活動量計９の測定データをリーダ１４で読み取らせた際に住人の行動記録も読み取ることができる。これによって、住人の行動記録が関連付けられた活動量を取得できるので、活動量計９の測定データの根拠とすることができる。換言すれば、住人は、どれだけ活動すれば、どれだけの活動量となるか容易に把握できるので、自身の活動量を管理しやすくなる。
【００５８】
また、姿見鏡１１の表面のうち住人が触れた位置を検知するタッチセンサーを備えることによって、姿見鏡１１の表面はタッチパネルとして構成されているので、モニター部１２に表示される画面の操作を直感的に行うことができ、住人にとって活動量の確認作業がより行いやすくなる。
【００５９】
また、住人の動作を検知する位置センサー１７を備えており、当該位置センサー１７によって検知された住人の動作に基づいて、モニター部１２に表示される画面を操作可能に構成されているので、住人は、モニター部１２から離れた位置から、モニター部１２に表示される画面の操作を行うことができ、住人にとって活動量の確認作業がより行いやすくなる。
【００６０】
また、演算部１３は、カメラ１５によって撮影された画像を記憶する記憶手段を有するので、住人は、記憶手段から読み込んだ自身の撮影画像を確認することができる。すなわち、自身の体格を確認することができるので、活動量計９を所持して活動したことによる成果を客観的に実感することができる。
【符号の説明】
【００６１】
１  洗面所
２  トイレ
３  洗面台
４  浴槽
５  脱衣スペース
９  活動量計
１０  姿見型モニター
１０ａ  筐体
１１  姿見鏡
１２  モニター部
１３  演算部
１４  リーダ
【図１】
2015225627.tif 000003
【図２】
2015225627.tif 000004
【図３】
2015225627.tif 000005
【図４】
2015225627.tif 000006
【図５】
2015225627.tif 000007
【図６】
2015225627.tif 000008
【図７】
2015225627.tif 000009
【図８】
2015225627.tif 000010